(57)【要約】【課題】簡易な構成で被清掃面の両面を同時に清掃し得る清掃装置を提供する。【解決手段】従動側清掃体２０の磁石２８は、駆動側清掃体１２の回転中心から所定間隔で配置される磁石１７に対応して配置される。即ち、従動側清掃体２０は、磁石１７及び２８同士の吸引力にむらが生じることなく、駆動側清掃体１２の従動が確実である。駆動側清掃体１２は、被清掃面Ｗ２に対向する対向面２３Ａに複数本の毛先が補強された補強部を有する合成樹脂の清掃部材２４を備える。即ち、従動側清掃体２０は、タワシ等に比べて毛先が強靭な補強部２６Ａで被清掃面Ｗ２の苔などを確実に擦り落とし得る。両清掃体１２及び２０の清掃部材１５及び２４が、ループ毛及び樹立毛となっているので、被清掃面Ｗ１及びＷ２との摩擦力が皮革等に比べて小さくなるので、回転が円滑となる。【選択図】図１
0003176016.tif 000002
【実用新案登録請求の範囲】
【請求項１】
駆動手段の駆動力に基づき回転して被清掃面を清掃する駆動側清掃体と、この駆動側清掃体の回転に従動して被清掃面を清掃する従動側清掃体とからなる清掃装置において、
上記駆動側清掃体は、その回転中心から所定間隔で配置される磁石と、上記駆動手段を連結する連結部と、被清掃面に対向させる対向面に配置される清掃部材とを備え、
上記従動側清掃体は、上記駆動側清掃体の磁石に対応して配置される磁石と、被清掃面に対向する対向面に複数本の毛先が補強された補強部を有する合成樹脂の清掃部材とを備えることを特徴とする清掃装置。
【請求項２】
請求項１に記載の清掃装置において、上記駆動側清掃体の清掃部材は合成樹脂製フィラメント糸をループ状に成形する複数本のループ毛とし、上記従動側清掃体の清掃部材は支柱状に成形する毛の上記補強部をフック状または膨頭状とすることを特徴とする清掃装置。
【請求項３】
請求項１又は請求項２に記載の清掃装置において、上記従動側清掃体はその自重より水から浮遊可能な容量の空気部を備えると共に、上記従動側清掃体の上記磁石を複数の箇所にそれぞれ配置させることを特徴とする清掃装置。
【請求項４】
請求項１乃至請求項３の１項に記載の清掃装置において、上記従動側清掃体はその外形を水の抗力が小さくなるような流線型とすることを特徴とする清掃装置。
【考案の詳細な説明】
【技術分野】
【０００１】
本考案は、例えば熱帯魚などの飼育・観賞に用いる水槽の両面を挟み、同時に清掃し得る清掃装置に関するものである。
【背景技術】
【０００２】
特許文献１には、一対の清掃板間に働く磁力を強弱調節することができ、且つ洗浄液を伴う払拭動作と洗浄液の除去を伴う払拭動作を被清掃面に同時に加えることができる清掃器具が、開示されている（段落番号「０００６」参照）。即ち、モータで駆動される駆動側清掃板と従動側清掃板の夫々は、ガラス面への当接部を備えた支承体と、該支承体に回転自在に設けられた回転盤とを有する。これらの回転盤には、払拭部材と磁石板とが設けられている（要約の「解決手段」欄及び図１参照）。
【０００３】
また、特許文献２は、外側部品が水槽外壁面上自走し、これに磁気的に対向吸着される内側部品で水槽内壁面を清掃させるタイプの清掃装置である。具体的には、水槽の壁を挟んで外側部品と内側部品が磁気的に対向吸着される水槽内壁面清掃装置である。外側部品は、水槽外壁面上自走のための駆動体と、水槽外壁面に当接する複数のボールを備える。内側部品は、水槽内壁面を擦る清掃部材と、重心から外れた位置に水中スクリューを備える（要約「解決手段」欄及び図１乃至図３参照）。
【先行技術文献】
【特許文献】
【０００４】
【特許文献１】特開平９−２２４８８１号公報
【特許文献２】特開平２０１１−５０３０２号公報
【考案の概要】
【考案が解決しようとする課題】
【０００５】
ところで、特許文献１の清掃器具は、その払拭部材として、フェルト状物、織布、皮革、ブラシ、スポンジなどが用いられる。特許文献１の払拭部材は、フェルト状素材や連続気孔を有するスポンジ状物などから成るパッドと、三日月状或いは鎌刃状の断面によってできる掬い角を持つゴム弾性素材から成るワイパーとの組み合わせである。そして、先ず洗浄液を含んだパッドは汚れを浮かし、次にその汚れをワイパーは洗浄液と一緒にすくい取り、引続きそのすくい取った汚れは遠心力によりワイパーの湾曲面に沿って移動させ飛散させる（段落番号「００１１」参照）。
【０００６】
また、特許文献１の清掃器具には、その移動軸の他端付近に刻設した雄ネジ部に、磁石位置調節用の磁力調節ネジを螺合し、支承体が中空軸を回転自在に支持している（要約の「解決手段」欄及び図１参照）。なお、特許文献１の清掃器具は、窓ガラス等の板状物の両面を同時に清掃し得る清掃器具に関するものである（段落番号「０００１」参照）。即ち、特許文献１の清掃器具は、その払拭部材などを特殊加工を施しており、且つ従動側清掃板を水中で用いる構成とはしてない。従って、特許文献１の清掃器具は、その構成が複雑であり、高価となる。
【０００７】
特許文献２の清掃装置は、その内側部品の水槽側の面にスポンジ（清掃部材）が取り付けられており、該スポンジによって水槽内壁面を擦ることができるようになっている。また、スポンジは、ボール及び中央部材を避けて形作られており、上記ボールによる走行円滑化の効果を妨げない（段落番号「００３８」及び図１ｂ参照）。そして、水槽の壁を挟んで外側部品を外側、内側部品を内側にして対向させ、ネオジウム磁石の磁気的吸引力で両者を対向吸着させる（段落番号「００４１」及び図２参照）。
【０００８】
次に、外側部品の駆動体及び内側部品の水中スクリューを駆動させる。内側部品においては、水中スクリューによって外周部材が回転し、これに伴ってスポンジが回転して水槽内壁面の苔等を擦り落とす。また、駆動体により外側部品が水槽外壁面上を自走し、これに伴って、磁気吸引された内側部品が水槽内壁面上を走行する（段落番号「００４２」及び図３参照）。即ち、特許文献２の自走式清掃装置は、本考案の清掃装置とは駆動方式が異なる。
【０００９】
本考案の目的は、簡易な構成で被清掃面の両面を同時に清掃し得る清掃装置を提供することにある。
【課題を解決するための手段】
【００１０】
本考案の清掃装置は、駆動手段の駆動力に基づき回転して被清掃面を清掃する駆動側清掃体と、この駆動側清掃体の回転に従動して被清掃面を清掃する従動側清掃体とからなる清掃装置において、上記駆動側清掃体は、その回転中心から所定間隔で配置される磁石と、上記駆動手段を連結する連結部と、被清掃面に対向させる対向面に配置される清掃部材とを備え、上記従動側清掃体は、上記駆動側清掃体の磁石に対応して配置される磁石と、被清掃面に対向する対向面に複数本の毛先が補強された補強部を有する合成樹脂の清掃部材とを備えることを特徴とする。
【００１１】
ここで、本考案の清掃装置は、上記駆動側清掃体の清掃部材は合成樹脂製フィラメント糸をループ状に成形する複数本のループ毛とし、上記従動側清掃体の清掃部材は支柱状に成形する毛（樹立毛）の上記補強部をフック状または膨頭状としても良い。また、本考案の清掃装置は、上記従動側清掃体はその自重より水から浮遊可能な容量の空気部を備えると共に、上記従動側清掃体の上記磁石を複数の箇所にそれぞれ配置させても良い。更に、本考案の清掃装置は、上記従動側清掃体はその外形を水の抗力が小さくなるような流線型としても良い。
【考案の効果】
【００１２】
本考案によれば、従動側清掃体の磁石が駆動側清掃体の回転中心から所定間隔で配置される磁石に対応して配置されるので、従動側清掃体は磁石同士の吸引力にむらが生じることなく、駆動側清掃体の従動が確実かつ円滑となる。また、本考案によれば、駆動側清掃体は被清掃面に対向する対向面に複数本の毛先が補強された補強部を有する合成樹脂の清掃部材を備えるので、従動側清掃体がタワシ等に比べて毛先が強靭な補強部で被清掃面の苔などを確実に擦り落とし得る。なお、両清掃体の清掃部材をループ毛及び樹立毛にそれぞれする場合には、被清掃面との摩擦力が皮革等に比べて小さくなるので、走行（回転）が円滑となる。
【００１３】
また、両清掃体の清掃部材をループ毛及び樹立毛とする場合、たとえ両清掃体の磁石同士の磁気的吸引力が強すぎても、両被清掃面上を円滑に走行し得、操作性も良好となる。本考案によれば、従動側清掃体はその自重より水から浮遊可能な容量の空気部を備えるので、従動側清掃体の回転時において水の抵抗が小さく、周りに渦（乱流）を発生させない。本考案によれば、従動側清掃体はその外形を水の抗力が小さくなるような流線型となっているので、従動側清掃体の外形に凹凸が形成される場合に比べ、除去した苔など又は水槽内の砂などを拡散するのを防止し得る。
【図面の簡単な説明】
【００１４】
【図１】本実施例に係る清掃装置を示す断面図である。
【図２】図１に示す駆動側清掃体の正面図である。
【図３】図１に示す駆動側清掃体の清掃部材の端面図である。
【図４】図１に示す従動側清掃体の正面図である。
【図５】図１に示す従動側清掃体の清掃部材の端面図である。
【図６】図１に示す清掃装置の使用状態図である。
【考案を実施するための形態】
【００１５】
以下、本考案を実施するための形態について、具体化した一実施例を説明する。
【実施例１】
【００１６】
以下、図１乃至図６に基づいて、本考案の一実施例である清掃装置について説明する。ここで、清掃装置を駆動（回転）させる駆動手段は、市販されているハンディタイプの電動モータであり、その駆動手段である出力軸Ｓ（図１の２点鎖線参照）が連結軸１６に連結される。
【００１７】
図１及び図６に示すように、清掃装置１０は、駆動側清掃体１２及び従動側清掃体（以下、両者を「清掃体」ともいう）２０を備え、これらの外形は略円盤状（いわゆる皿状）となっている。即ち、清掃装置１０は、一対の清掃体１２及び２０で例えば熱帯魚などの飼育・観賞に用いる水槽Ｗの被清掃面である両面Ｗ１及びＷ２（図４及び図１の２点鎖線参照）を清掃するタイプである。
【００１８】
（駆動側清掃体に関する構成）
駆動側清掃体１２は、図示しない駆動手段の駆動力（回転力）に基づき回転して被清掃面Ｗ１を清掃する。この清掃体１２は、断面略Ｃ字状の筐体１３及びその筐体１３の開放口を閉止する蓋体１４を備える。これらの筐体１３及び蓋体１４は、硬質の合成樹脂製で、それぞれ一体成型される。また、図１及び図２に示すように、筐体１３は、その中心に円形の孔１３Ａが形成され、且つ金属製で６角柱の連結軸（連結部）１６が配置されている。
【００１９】
この連結軸１６は、その略半分が筐体１３内に埋め込まれ、残りが外方へ向かって突設されている。なお、連結部の一部を構成する孔１３Ａは、図１の２点鎖線に示す出力軸Ｓよりも若干径大となっており、出力軸Ｓが孔１３Ａ内に挿入される。そして、連結軸１６は、出力軸Ｓの６角孔Ｓ１（図１の２点鎖線参照）内に挿入され、出力軸Ｓと連結する。図１及び図２の破線に示すように、蓋体１４には、その裏面に複数（本例では４個）の磁石１７が、所定の角範囲（本例では９０度）に亘って回転中心を囲んだ円中にそれぞれ配置されている。
【００２０】
即ち、コイン状の磁石１７は、図１及び図２の破線に示すように、蓋体１４（連結棒１６）の中心から所定間隔をもって接着剤などで固定（接着）している。ここで、磁石１７は、永久磁石としてフェライト磁石でも良いが、希土類永久磁石たとえばNd-Fe-B系永久磁石（ネオジム磁石など）が最適である。また、本実施例において、磁石１７を回転中心ではなく、回転中心を囲んで４箇所に配置したのは、吸引力にむらが生じなくするためである。なお、図１に示すように、蓋体１４の裏面には、磁石１７を所定位置に位置決めする収納部１８がそれぞれ形成されている。また、図２の破線に示すように、一対の磁石１７は、取付板１９の両端にそれぞれ取付けられている。
【００２１】
図１に示すように、蓋体１４には、その表面１４Ａ（「対向面」と同義）に円形の清掃部材１５（図３参照）が、接着剤などで貼付されている。図３に示すように、清掃部材１５は、繊維を製編織した基材（「製織基布」の同義）１５Ａ及びこの基材１５Ａに植毛（植設）したような複数本のループ毛１５Ｂの柔軟な製織面フアスナーを用いる。即ち、ループ毛１５Ｂは、例えばポリエステル、ポリオレフイン等の合成樹脂製フィラメント糸をループ状に成形する。本実施例では、ループ毛１５Ｂと被清掃面Ｗ１との摩擦力が皮革等に比べて小さいので、走行（回転）が円滑となる。
【００２２】
（従動側清掃体に関する構成）
従動側清掃体２０は、駆動側清掃体１２の回転に従動して被清掃面Ｗ２を清掃する。この清掃体２０は、断面略Ｃ字状の筐体２２及びその筐体２２の開放口を閉止する蓋体２３を備える。これらの筐体２２及び蓋体２３は、硬質の合成樹脂製で、それぞれ一体成型される。なお、図１及び図４に示すように、筐体２２において、その蓋板２３の反対面は、平面状となっており、凹凸は形成されていない。即ち、上記蓋板２３の反対面は、駆動側清掃体１２の筐体１３とは異なり、孔１３Ａが形成されていない。
【００２３】
蓋体２３には、図１及び図４の破線に示すように、その裏面に複数（本例では４個）の磁石２８が、所定の角範囲（本例では９０度）に亘ってそれぞれ配置されている。即ち、複数の磁石２８は、駆動側清掃体１２の磁石１７に対応してそれぞれ配置している。なお、上述したように、磁石２８を回転中心ではなく、回転中心を囲んで所定間隔で各々配置したのは、吸引力にむらが生じなくし、従動側清掃体２０の追随回転（「従動」と同義）を確実かつ円滑とするためである。
【００２４】
また、図１に示すように、蓋体２３の裏面には、磁石２８を所定位置に位置決めする収納部３０がそれぞれ形成されている。更に、図４の破線に示すように、一対の磁石２８は、取付板３２の両端にそれぞれ取付けられている。ここで、磁石５２に関する構成は、駆動側清掃体１２の磁石１７に関する構成と同様であるので、詳細説明は省略する。
【００２５】
図１に示すように、蓋体２３には、その表面２３Ａ（「対向面」と同義）に円形の清掃部材２４（図５参照）が、接着剤などで貼付されている。図５に示すように、清掃部材２４は、合成樹脂の基材２５及びこの基材２５に植毛したような複数本の樹立毛（以下単に「毛」ともいう）２６を備える。これらの樹立毛２６は支柱状たとえば円柱状などに成形しており、その毛先には補強された補強部２６Ａが形成されている。
【００２６】
補強部２６Ａは、図５に示すように、フック状または膨頭状などとなっており、硬質（上述した製織面フアスナーのループ毛１５Ｂと比較して硬質）となっている成型面フアスナーを用いる。即ち、基材２５及び樹立毛２６は、ポリエステル、ポリアミド、ポリオレフイン、塩化ビニル系重合体、ポリウレタンなどの熱可塑性で可撓性重合体を溶融成型あるいはモールド成型している。即ち、補強部２６Ａを含む樹立毛２６（清掃部材２４）は、市販されているブラシ又はタワシ等に比べて、強靭に一体形成されている。即ち、本実施例では、樹立毛２６と被清掃面Ｗ２との摩擦力が皮革等に比べて小さいので、走行（回転）が円滑となる。
【００２７】
図１に示すように、従動側清掃体２０は、その自重より水から浮遊可能な容量の空気部３４を備える。この空気部３４は、上述したように、蓋体２３が筐体２２の開放口を閉止し、筐体２３内を密閉することによって形成する。また、図６に示すように、従動側清掃体２０は、その外形を水の抗力が小さくなるような流線型としている。即ち、従動側清掃体２０には、その外形に流れを乱すような凹凸が形成されていない。ここで、流線型は、外形に凹凸を形成している場合に比べ、水の抗力が小さいことを意味する。その他の構成は、図１及び図２に示す駆動側清掃体１２と同様であるので、詳細説明は省略する。
【００２８】
（本実施例の作用）
先ず、例えば図１に示す駆動側清掃体１２には、予め図示しない電動モータの出力軸Ｓ（図１の２点鎖線参照）を、連結軸１６及び孔１３Ａに連結させる。次に、駆動側清掃体１２は、その清掃部材１５の対向面側を水槽Ｗ外の被清掃面Ｗ１に対向させる。また、従動側清掃体２０は、その清掃部材２４の対向面側を水槽Ｗ内の被清掃面Ｗ２に対向させる。そして、駆動側清掃体１２及び従動側清掃体２０が水槽Ｗの壁を挟んだ対向状態において、磁石１７及び２８同士が磁気的吸引力で対向吸着するように移動（回転など）させる。
【００２９】
引続き、図示しない電動モータを駆動させると、出力軸Ｓを介して駆動側清掃体１２は回転（駆動）するので、従動側清掃体２０も従動して回転する。即ち、本実施例においては、磁石１７を清掃体１２及び２０の回転中心ではなく、回転中心を囲んだ円中にそれぞれ配置したので、吸引力にむらが生ずることがなく、従動側清掃体２０の従動が確実かつ円滑となる。また、本実施例によれば、たとえ磁石１７及び２８同士の磁気的吸引力が強すぎても、上述したように、清掃部材１５及び２４がループ毛１５Ｂ及び樹立毛２６となっているので、被清掃面Ｗ１及びＷ２上を円滑に走行し得、操作性も良好となる。
【００３０】
従って、本実施例では、図３及び図５に示すように、清掃部材１５及び２４のループ毛１５Ｂ及び樹立毛２６が、水槽Ｗの壁両面（被清掃面Ｗ１及びＷ２）を同時に清掃する。具体的には、図５に示すように、従動側清掃体２０の清掃部材２４が、ブラシ又はタワシ等に比べて、強靭な複数の樹立毛２６及びその補強部２６Ａとなっているので、被清掃面Ｗ２に付着している苔などを迅速かつ確実に擦り落とし得る。
【００３１】
ここで、図６に示すように、従動側清掃体２０は、その外形を水の抗力が小さくなるような流線型としているので、その回転時において水の抵抗が小さく、周りに渦（乱流）を発生させない。即ち、本実施例によれば、従動側清掃体２０の外形を水の抗力が小さくなるような流線型としているので、従動側清掃体２０の外形に凹凸が形成される場合に比べ、除去した苔など又は水槽Ｗ内の砂などを拡散するのを防止し得る。
【００３２】
最後に、図６に示すように、清掃終了後など駆動側清掃体１２を被清掃面Ｗ１から離間させると、清掃体１２及び２０同士が離間する。そのため、図１に示す磁石１７及び２８同士の磁気的吸引力が解除されるので、図６の２点鎖線に示すように、従動側清掃体２０は、その自重より水から浮遊可能な容量の空気部３４を備えるので、水中に浮くことができ、水上に浮上する。
【００３３】
即ち、本実施例においては、空気部３４で従動側清掃体２０が水上に浮上するので、ユーザの腕などを水で濡らすことなく取出すことができる。従って、本実施例によれば、空気部３４で従動側清掃体２０が水上に浮上するので、ユーザが水槽内に腕などを入れて回収する手間を省ける。
【００３４】
本実施例によれば、従動側清掃体２０の磁石２８が駆動側清掃体１２の回転中心から所定間隔で配置される磁石１７に対応して配置されるので、従動側清掃体２０は磁石１７及び２８同士の吸引力にむらが生じることなく、駆動側清掃体１２の従動が確実かつ円滑となる。また、本実施例によれば、駆動側清掃体１２は被清掃面Ｗ２に対向する対向面２３Ａに複数本の毛先が補強された補強部２６Ａを有する合成樹脂の清掃部材２４を備えるので、従動側清掃体２０がタワシ等に比べて毛先が強靭な補強部２６Ａで被清掃面Ｗ２の苔などを確実に擦り落とし得る。
【００３５】
なお、本実施例の磁石１７及び２８は、例えば回転中心から所定間隔で配置される円状としても良く、または複数箇所は２箇所以上であれば６箇所でも良い。本実施例の従動側清掃体２０は、その筐体２２の外形を、図１の例よりも更に円弧状にしても良い。本実施例の清掃体２０は、その蓋体２３を例えば曲面ガラスとなる被清掃面に沿って撓うようにしても良い。本実施例の清掃体１２及び２０には、それらの磁石１７及び２８に対応する位置に、外部から目視できるよう印（マーク）例えば筐体２２の外周面に刻印などを設けるようにしても良い。
【００３６】
本実施例の清掃部材１５及び２４は、蓋体１４及び２３の表面１４Ａ及び２３Ａに対して交換（着脱）可能としても良い。本発明では、従動側清掃体２０の重量を軽減するため、磁石２８は４箇所にそれぞれ配置するのが好ましく、また取付板３２を削除しても良い。本発明では、補強部を有する合成樹脂の清掃部材または合成樹脂製フィラメント糸をループ状に成形した清掃部材を、駆動側清掃体または従動側清掃体に適宜変更して配置させるようにしても良い。例えば、両清掃体には、補強部を有する合成樹脂の清掃部材を、それぞれ配置させるなどしても良い。
【符号の説明】
【００３７】
１０…清掃装置、１２…駆動側清掃体、１４Ａ…蓋体の表面（対向面）、１５…清掃部材、１５Ａ…ループ毛、１６…連結軸（連結部）、１７…磁石、２０…従動側清掃体、２３Ａ…蓋体の表面（対向面）、２４…清掃部材、２６…樹立毛（毛）、２６Ａ…補強部、２８…磁石、３４…空気部、Ｓ…電動モータの出力軸（駆動手段）、Ｗ…水槽、Ｗ１（Ｗ２）…水槽の面（被清掃面）
【図１】
0003176016.tif 000003
【図２】
0003176016.tif 000004
【図３】
0003176016.tif 000005
【図４】
0003176016.tif 000006
【図５】
0003176016.tif 000007
【図６】
0003176016.tif 000008